(57)【要約】【課題】スクリーンに適切な映像を投射されるためのユーザによる負担を軽減させることができるプロジェクタシステムを提供する。【解決手段】プロジェクタ１００では、映像出力部１１０から、レンズ１９０を介して、スクリーンユニット２００のスクリーン２９１へ映像が投射される。スクリーンユニット２００では、スクリーン２９１の近傍には単数または複数の照度センサ２９３が設けられている。スクリーンユニット２００からは、照度センサ２９３が検出した照度の値が無線通信部２０２を介して発信される。プロジェクタ１００は、スクリーンユニット２００から発信された照度の検出値を無線通信部１０２で受信する。そして、プロジェクタ１００では、受信した照度の検出値に応じて、映像出力部１１０において、スクリーン２９１へ投射される映像の輝度が調整される。【選択図】図１
2009169081.tif 000002
【特許請求の範囲】
【請求項１】
スクリーンユニットと、前記スクリーンユニットに映像を投射するプロジェクタとを備え、
前記スクリーンユニットは、
前記プロジェクタが投射した映像を投影されるスクリーンと、
前記スクリーン近傍の照度を検出する検出部と、
前記検出部が検出した照度を前記プロジェクタへ送信する送信部とを含み、
前記プロジェクタは、
映像の調整を行なう調整部と、
前記調整部が調整した映像を前記スクリーンユニットへ投射する出力部と、
前記送信部から送信される情報を受信する受信部とを含み、
前記調整部は、前記検出部が検出した照度に応じて映像の調整における映像の輝度の調整態様を変更する、プロジェクタシステム。
【請求項２】
前記送信部および受信部は、無線通信の機能を有する、請求項１に記載のプロジェクタシステム。
【請求項３】
前記スクリーンユニットは、前記調整部による映像の調整に利用される情報を記憶する記憶部をさらに含み、
前記送信部は、前記記憶部に記憶された前記情報を前記プロジェクタへ送信し、
前記調整部は、前記記憶部に記憶された情報を使用して、映像の調整を行なう、請求項１または請求項２に記載のプロジェクタシステム。
【請求項４】
前記記憶部に記憶される情報は、前記スクリーンのサイズまたは前記スクリーンユニットに投射される映像における最適なコントラスト比の少なくとも一方を含む、請求項３に記載のプロジェクタシステム。
【発明の詳細な説明】
【技術分野】
【０００１】
本発明は、プロジェクタシステムに関し、特に、スクリーンユニットと当該スクリーンユニットに映像を投射するプロジェクタとを備えるプロジェクタシステムに関する。
【背景技術】
【０００２】
従来から、プロジェクタからスクリーンに映像が投射される際、スクリーンに適切に映像が投影されるように、プロジェクタは、スクリーンのサイズ等の種々の情報を入力されるように構成されていた。これにより、プロジェクタにおいて、スクリーンの特性に応じた映像を投射するための、映像データに対する種々の補正が可能とされていた。
【０００３】
たとえば、特許文献１には、プロジェクタの設置位置の自由度を高めるため、プロジェクタの投射角に基づき、プロジェクタから出力される映像データの歪みを補正する技術が開示されている。
【特許文献１】特開２０００−３１４９２３号公報
【発明の開示】
【発明が解決しようとする課題】
【０００４】
しかしながら、ユーザは、プロジェクタにスクリーンへと映像を投射させる際に、映像データの調整に関する種々の情報（たとえば、スクリーンの特性に関する情報）を入力する必要があった。特に、スクリーンの特性の中で、当該スクリーンに映像を投射させている期間中にも変化する可能性のある特性については、映像が投射されている期間中であっても、当該特性の変化に基づきプロジェクタに出力する映像の補正を行なわせるために、当該特性の変化に関する情報を、ユーザがプロジェクタに対して入力することが必要とされた。このため、ユーザに必要とされる操作が煩雑であるという課題があった。
【０００５】
本発明は係る実情に鑑み考え出されたものであり、その目的は、スクリーンに適切な映像を投射されるためのユーザによる負担を軽減させることができるプロジェクタシステムを提供することである。
【課題を解決するための手段】
【０００６】
本発明に従ったプロジェクタシステムは、スクリーンユニットと、前記スクリーンユニットに映像を投射するプロジェクタとを備え、前記スクリーンユニットは、前記プロジェクタが投射した映像を投影されるスクリーンと、前記スクリーン近傍の照度を検出する検出部と、前記検出部が検出した照度を前記プロジェクタへ送信する送信部とを含み、前記プロジェクタは、映像の調整を行なう調整部と、前記調整部が調整した映像を前記スクリーンユニットへ投射する出力部と、前記送信部から送信される情報を受信する受信部とを含み、前記調整部は、前記検出部が検出した照度に応じて映像の調整における映像の輝度の調整態様を変更することを特徴とする。
【０００７】
また、本発明のプロジェクタシステムでは、前記送信部および受信部は、無線通信の機能を有することが好ましい。
【０００８】
また、本発明のプロジェクタシステムでは、前記スクリーンユニットは、前記調整部による映像の調整に利用される情報を記憶する記憶部をさらに含み、前記送信部は、前記記憶部に記憶された前記情報を前記プロジェクタへ送信し、前記調整部は、前記記憶部に記憶された情報を使用して、映像の調整を行なうことが好ましい。
【０００９】
また、本発明のプロジェクタシステムでは、前記記憶部に記憶される情報は、前記スクリーンのサイズまたは前記スクリーンユニットに投射される映像における最適なコントラスト比の少なくとも一方を含むことが好ましい。
【発明の効果】
【００１０】
本発明によれば、プロジェクタには、スクリーン近傍の照度の検出値が入力される。
これにより、プロジェクタでは、映像が投射されている期間中であっても、当該検出値が入力されれば、当該検出値に合わせて、スクリーンに投影される映像の輝度を調整できる。
【００１１】
したがって、本発明によれば、プロジェクタから映像が投射されている期間中にスクリーン近傍の照度が変化した場合であっても、当該変化による照度の検出値の変化をプロジェクタが認識できるため、ユーザが照度の変化に関する情報をプロジェクタに入力する必要がなく、ユーザの負担を軽減することができる。
【発明を実施するための最良の形態】
【００１２】
以下、本発明のプロジェクタシステムの実施の形態について、図面を参照して説明する。
【００１３】
図１は、本発明のプロジェクタシステムの構成を模式的に示す図である。
図１を参照して、プロジェクタシステムは、映像を投射するプロジェクタ１００と、当該プロジェクタ１００が投射した映像を投影するスクリーンを含むスクリーンユニット２００とから主に構成される。
【００１４】
プロジェクタ１００では、映像出力部１１０から、レンズ１９０を介して、スクリーンユニット２００のスクリーン２９１へ映像が投射される。
【００１５】
スクリーンユニット２００では、スクリーン２９１の近傍には単数または複数の照度センサ２９３が設けられている。スクリーンユニット２００からは、照度センサ２９３が検出した照度の値が無線通信部２０２を介して発信される。
【００１６】
プロジェクタ１００は、スクリーンユニット２００から発信された照度の検出値を無線通信部１０２で受信する。そして、プロジェクタ１００では、受信した照度の検出値に応じて、映像出力部１１０において、スクリーン２９１へ投射される映像の輝度が調整される。
【００１７】
また、スクリーンユニット２００のパラメータ記憶部２１０には、スクリーン２９１の特性に関する種々のパラメータ（サイズ、コントラスト比、ガンマ特性値等）が記憶されている。スクリーンユニット２００は、無線通信部２０２を介して、これらのパラメータを発信する。プロジェクタ１００では、これらのパラメータを、無線通信部１０２を介して受信する。そして、映像出力部１１０は、受信されたこれらのパラメータを用いて、投射する映像の調整を行なう。
【００１８】
図２は、スクリーンユニット２００の外観を模式的に示す図である。
図２を参照して、スクリーンユニット２００は、プロジェクタ１００が投射した映像を投影するためのスクリーン２９１と、当該スクリーンの外郭を支持する枠体２９２とを含む。スクリーン２９１は、たとえば白色のフィルムによって構成される。枠体２９２は、スクリーン２９１を支持するとともに、無線通信部２０２やパラメータ記憶部２１０等のハードウェアを収納する図示せぬ筐体も支持する。
【００１９】
図２では、スクリーンユニット２００において、スクリーン２９１の外側に、８個の照度センサ２９３（照度センサ２９３Ａ〜２９３Ｈ）が示されている。本実施の形態において、照度センサ２９３は、照度センサ２９３Ａ〜２９３Ｈのいずれか１つの位置に配置されていてもよいし、または、これらの中の複数の位置に配置されていてもよい。つまり、照度センサ２９３は、たとえばスクリーン２９１の近傍など、少なくとも当該スクリーン２９１が配置されている場所と同等の照度を検出することができる位置に配置されていることが必要とされる。
【００２０】
図３は、本実施の形態のプロジェクタシステムのハードウェア構成を模式的に示す図であり、図３（Ａ）は、プロジェクタ１００のハードウェア構成を、また、図３（Ｂ）は、スクリーンユニット２００のハードウェア構成を、それぞれ模式的に示す。
【００２１】
図３（Ａ）を参照して、プロジェクタ１００は、当該プロジェクタ１００の動作を全体的に制御する制御部１０１を含む。制御部１０１は、ＣＰＵ（Central Processing Unit）を含む。
【００２２】
また、プロジェクタ１００は、上記した制御部１０１、無線通信部１０２および映像出力部１１０の他に、制御部１０１のワークエリアとなるＲＡＭ（Random Access Memory）１０３、レンズ１９０を介して投射する映像の元となるデータや制御部１０１が実行するプログラムなどの情報を記憶する記憶部１０４、他の機器と物理的に接続される際に利用されるＵＳＢ（Universal Serial Bus）コネクタ等のインターフェイス１０５、および外部からのユーザ等の操作を受付ける入力部１０６を含む。入力部１０６は、たとえば、複数のキー操作部を含む場合や、タッチスクリーンを含む場合がある。
【００２３】
映像出力部１１０は、記憶部１０４に記憶されたデータまたはインターフェイス１０５もしくは無線通信部１０２を介して入力される映像データに基づいて、レンズ１９０を介して投射する映像を生成するための、映像生成部１１１を含む。また、映像出力部１１０は、映像生成部１１１における映像の生成の際に、生成される映像に対して種々の調整を行なうための要素を備えている。
【００２４】
この要素には、映像のコントラストを調整するコントラスト調整部１１２、映像の輝度を調整するブライトネス調整部１１３、レンズ１９０のズーム倍率等を調整するズーム調整部１１４、映像のガンマ補正を行なうガンマ補正部１１５、およびこれらの各部における映像の調整に利用されるデータを記憶する調整用データ記憶部１１６を含む。
【００２５】
調整用データ記憶部１１６には、スクリーンユニット２００から送信されてくるデータの値と映像出力部１１０において映像の調整を行なう各部を制御するためのデータの値とが関連付けられて記憶されている。具体的には、スクリーンユニット２００から送信されてくるコントラスト比の値は、コントラスト調整部１１２におけるコントラストの値と関連付けられている。また、スクリーンユニット２００から送信されてくるスクリーンサイズの値は、ズーム調整部１１４におけるズームの倍率と関連付けられている。また、スクリーン調整部２００から送信されてくるガンマ特性値は、ガンマ補正部１１５において利用することができる複数のガンマテーブルの中のどのテーブルを利用するかを特定する情報と関連付けられている。そして、スクリーンユニット２００から送信されてくる照度の値は、ブライトネス調整部１１３において調整される輝度（ホワイト輝度値およびブラック輝度値の組合せ）に関連付けられている。
【００２６】
図３（Ｂ）を参照して、スクリーンユニット２００は、当該スクリーンユニット２００の動作を全体的に制御する制御部２０１を含む。制御部２０１は、ＣＰＵを含む。
【００２７】
また、スクリーンユニット２００は、上記した制御部２０１、無線通信部２０２およびパラメータ記憶部２１０の他に、制御部２０１のワークエリアとなるＲＡＭ２０３、照度センサ２９３の検出値を発信する処理のプログラムなどの情報を記憶する記憶部２０４、他の機器と物理的に接続される際に利用されるＵＳＢコネクタ等のインターフェイス２０５、および外部からのユーザ等の操作を受付ける入力部１０６を含む。入力部１０６は、たとえば、複数のキー操作部を含む場合や、上記したような記憶部２１０等を収納する筐体に設けられるタッチスクリーンを含む場合がある。
【００２８】
パラメータ記憶部２１０には、上記したように、スクリーン２９１の特性を示す情報である、スクリーンサイズ（スクリーン２９１の縦方向の寸法および横方向の寸法）、最適なコントラスト比、およびガンマ特性値等が記憶されている。パラメータ記憶部２１０に格納される各種のパラメータは、入力部２０６を操作することにより更新することができる。
【００２９】
図４は、制御部１０１が映像の調整の際に実行する処理（映像調整処理）のフローチャートである。ここで、図４を参照して、プロジェクタ１００がレンズ１９０を介して投射する映像が、当該プロジェクタ１００においてどのように調整されるかについて、説明する。
【００３０】
図４を参照して、プロジェクタ１００に電源が供給されると、制御部１０１は、まずステップＳ１０で、スクリーンユニット２００が発信しているシステム情報を受信したか否かを判断し、受信したと判断するとステップＳ３０へ処理を進め、受信していないと判断するとステップＳ２０へ処理を進める。なお、システム情報とは、スクリーンユニット２００のパラメータ記憶部２１０に記憶されたスクリーンサイズ等の各種のパラメータである。
【００３１】
ステップＳ２０では、制御部１０１は、システム情報の受信に対して予め定められたタイムアウト時間が、経過したか否かを判断し、経過したと判断するとステップＳ３０へ処理を進め、まだ経過していないと判断するとステップＳ１０へ処理を戻す。
【００３２】
ステップＳ３０では、制御部１０１は、ステップＳ１０で受信したシステム情報の設定を行ない、ステップＳ４０へ処理を進める。具体的には、システム情報としてスクリーンユニット２００から受信した、コントラスト比、スクリーンサイズ、および／またはガンマ特性値のそれぞれに調整用データ記憶部１１６において関連付けられているコントラスト、ズーム倍率、ガンマテーブルを特定する情報を映像の調整に利用する情報として映像出力部１１０の各部に提供する。なお、これらの各値がスクリーンユニット２００から受信できなかった場合には、制御部１０１は、デフォルト値または入力部１０６もしくはインターフェイス１０５を介して入力された値を設定する。デフォルト値は、たとえば記憶部１０４に記憶されている。
【００３３】
また、ステップＳ３０で受信されるシステム情報には、スクリーンユニット２００から送信されてくる照度の値も含まれる。ステップＳ３０では、受信した照度の値を、ブライトネス調整部１１３における調整に利用する値として設定する。なお、照度の値がスクリーンユニット２００から受信できなかった場合には、制御部１０１は、ブライトネス調整部１１３における調整に用いる値として、デフォルトの値または入力部１０６もしくはインターフェイス１０５を介して入力された値を設定する。
【００３４】
ステップＳ４０では、制御部１０１は、一般のプロジェクタ装置において実行される処理を実行する。たとえば、入力部１０６において映像の投射を開始するための操作がなされることにより、またはインターフェイス１０５を介して映像を投射する指示を入力されることにより、制御部１０１は、製造生成部１１１に、映像を生成させ、当該生成された映像をコントラスト調整部１１２、ブライトネス調整部１１３、ガンマ補正部１１５で調整し、また、ズーム調整部１１４にレンズ１９０のズーム調整を行なわせて、出力することにより、レンズ１９０を介してスクリーンユニット２００へ映像を投射する処理を行ない、ステップＳ５０へ処理を進める。
【００３５】
ステップＳ５０では、制御部１０１が、スクリーンユニット２００から照度の検出値を受信したか否かを判断し、受信したと判断するとステップＳ６０へ処理を進め、受信していないと判断するとステップＳ４０へ処理を戻す。
【００３６】
ステップＳ６０では、制御部１０１は、ＲＡＭ１０３において記憶している照度の検出値（格納値）と直前に実行したステップＳ５０で受信した検出値に差異があるか否かを判断し、差異がないと判断するとステップＳ４０へ処理を戻し、差異があると判断するとステップＳ７０へ処理を進める。
【００３７】
ステップＳ７０では、ブライトネス調整部１１３における調整に利用されるブライトネスの値を、調整用データ記憶部１１６において、ステップＳ５０で新たに受信した照度の検出値に関連付けられて記憶されている値に更新して、ステップＳ８０へ処理を進める。
【００３８】
ステップＳ８０では、制御部１０１は、ＲＡＭ１０３に格納していた照度の検出値を、新しく受信した照度の検出値に更新して、ステップＳ４０へ処理を戻す。
【００３９】
以上説明した映像調整処理では、ステップＳ４０における映像の生成・出力処理が継続されながら、ステップＳ５０〜ステップＳ８０の処理が実行される。つまり、本実施の形態では、プロジェクタ１００は、映像の投射を行ないながら、スクリーンユニット２００において検出されるスクリーン２９１の近傍において検出された照度の値に応じて、リアルタイムに、投射する映像のブライトネスの調整のために使用されるブライトネスの値を更新することができる。
【００４０】
また、以上説明した映像調整処理では、スクリーンユニット２００は、照度センサ２９３による検出値の他にも、パラメータ記憶部２１０に格納している各種のパラメータを、プロジェクタ１００へ送信する。そして、プロジェクタ１００は、当該送信されたパラメータを使用して、プロジェクタ１００から投射される映像のコントラスト等の調整を行なう。したがって、本実施の形態のプロジェクタシステムでは、ユーザが、入力部１０６等に対してスクリーンユニット２００のコントラスト比等の各種のパラメータを入力する手間を省略することができる。
【００４１】
なお、以上説明した映像調整処理が開始されるタイミングは、プロジェクタ１００への電源の投入が開始された時点で行なわれてもよいし、プロジェクタ１００が映像の出力（投射）を指示されたタイミングでもよい。
【００４２】
また、図４に示されたフローチャートでは、照度のみが、映像の投射中にも変更される旨の記述がなされている。この点につき、映像調整処理では、プロジェクタ１００の制御部１０１に、スクリーンユニット２００のシステム情報についても所定時間ごとまたは定常的に受信させ、情報に変更があった場合には当該変更を逐次映像の調整に反映させれても良い。
【００４３】
以上説明した本実施の形態では、スクリーンユニット２００の制御部２０１は、照度センサ２９３の検出する照度の値を常時発信するように構成されても良いし、所定時間ごとに照度の検出値を発信しても良い。また、制御部２０１は、常時照度センサ２９３に照度を検出させ、そして、当該検出値が所定の値となったことを条件として当該検出値の発信を行なってもよい。ここで、所定の値とは、たとえば、プロジェクタ１００における映像の調整に使用されるブライトネスの値の更新を必要とする値であり、使用されるブライトネスの値のランクに応じた複数の値が設定されていることが考えられる。
【００４４】
また、本実施の形態では、映像出力部１１０において映像が調整される際に、利用されるパラメータや検出値はスクリーンユニット２００から送信されたものとされているが、これに限定されない。入力部１０６を操作することにより、ユーザが、ブライトネスの値等を直接入力し、当該値を使用して、映像出力部１１０に含まれる各部は映像の調整を行なうように構成されても良い。
【００４５】
また、以上説明した本実施の形態では、プロジェクタ１００とスクリーンユニット２００との間では、無線通信部１０２，２０２による無線通信でデータの送受信が行なわれる。これにより、スクリーンユニット２００に対するプロジェクタ１００の配置の自由度を向上させることができる。プロジェクタ１００とスクリーンユニット２００は、たとえばＩＥＥＥ(米国電気電子学会)８０２．１１の諸規格に準拠したワイヤレスＬＡＮ（Local Area Network）で接続される。そして、プロジェクタ１００の無線通信部１０２とスクリーンユニット２００の無線通信部２０２は、たとえばＬＡＮカードによって構成される。
【００４６】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態に開示された技術は、可能な限り組み合わされて実現されることが意図される。
【図面の簡単な説明】
【００４７】
【図１】本発明のプロジェクタシステムの一実施の形態の構成を模式的に示す図である。
【図２】図１のスクリーンユニットの外観を模式的に示す図である。
【図３】図１のプロジェクタおよびスクリーンユニットのハードウェア構成を模式的に示す図である。
【図４】図３のプロジェクタの制御部が実行する映像調整処理のフローチャートである。
【符号の説明】
【００４８】
１００  プロジェクタ、１０１，２０１  制御部、１０２，２０２  無線通信部、１０３，２０３  ＲＡＭ、１０４，２０４  記憶部、１０５，２０５  インターフェイス、１０６，２０６  入力部、１１０  映像出力部、１１１  映像生成部、１１２  コントラスト調整部、１１３  ブライトネス調整部、１１４  ズーム調整部、１１５  ガンマ補正部、１１６  調整用データ記憶部、１９０  レンズ、２００  スクリーンユニット、２１０  パラメータ記憶部、２９１  スクリーン、２９２  枠体、２９３，２９３Ａ〜２９３Ｈ  照度センサ。
【図１】
2009169081.tif 000003
【図２】
2009169081.tif 000004
【図３】
2009169081.tif 000005
【図４】
2009169081.tif 000006